(57)【要約】【課題】  その目的は、固定金具を構成する部材を連結して一体化すると共に、一体化した状態で手間無く、容易に長尺材を被取付け金具へ取付けて固定ができる長尺材固定金具を提供することにある。【解決手段】  長尺材を一対の固定部材で把持する長尺材固定金具であって、各固定部材は長尺材を把持する円弧状の把持部と、その一端に延設した締着部と、他端に延設し、被取付け金具の透孔に掛止する掛止部とを具備し、締付けボルトを一方の固定部材の締着部に設けたボルト挿通孔を介して、他方の固定部材の締着部に設けたネジ孔に螺着して連結すると共に、各固定部材が互いに隔離するように付勢する弾性材を前記締付けネジに備えたことを特徴とする。【選択図】図１
2014190539.tif 000002
【特許請求の範囲】
【請求項１】
長尺材を一対の固定部材で把持する長尺材固定金具であって、各固定部材は長尺材を把持する円弧状の把持部と、その一端に延設した締着部と、他端に延設し、被取付け金具の透孔に掛止する掛止部とを具備し、締付けボルトを一方の固定部材の締着部に設けたボルト挿通孔を介して、他方の固定部材の締着部に設けたネジ孔に螺着して連結すると共に、各固定部材が互いに隔離するように付勢する弾性材を前記締付けネジに備えたことを特徴とする長尺材固定金具。
【請求項２】
前記弾性材をコイルバネとし、前記締付けボルトのネジ軸に外嵌したことを特徴とする請求項１に記載の長尺材固定金具。
【発明の詳細な説明】
【技術分野】
【０００１】  この発明は、電気、設備工事において配管、又はケーブル等の長尺材を、造営材等として使用する型鋼に取付ける取付け金具に固定するための長尺材固定金具に関する。
【背景技術】
【０００２】  従来、この種の固定金具は図９に示すように、薄鋼板からなる左右一対の固定部材からなり、各固定部材は長尺材、例えば、配管の外周に沿って把持する円弧状の把持部と、その把持部の一端に設け、透孔を形成した締着部、他端には、取付け金具に形成した丸孔を挿通する挿通片と、その挿通片の先端に外方に屈曲し、前記丸孔に掛止する掛止片とを具備する掛止部とからなる形状とし、前記締着部に設けた透孔に挿通するボルト、及びそのボルトに螺着したナットを具備した構造であった。
取付け金具は、略コの字型本体の上面に、上下に進退可能な締付けボルトを設け、背面や下面に丸穴を設けた形状である。
前記締付けボルトを締付けて、型鋼のフランジ部分に取付けた取付け金具の丸孔に前記固定金具の各掛止部を、両固定部材を配管の両側に押し当てた状態で挿入すると共に、両締着部をボルト、ナットで締着することで、前記掛止部先端の掛止片が前記丸孔内側の周縁にそれぞれ掛止して固定することができるものであった。（例えば、特許文献１または２を参照）【０００３】  また、特開２０１１−１７３８２号には、左右一対の本体部半部の両嵌入部を支軸で連結すると共に、その支軸にはコイルスプリングを本体部半部間に介装して、そのコイルスプリングの反発力により両本体部半部が一定距離に隔離された状態で連結、一体化した構造のものが開示されている。
すなわち、本体部半部を被取付部材に取り付ける際に、両嵌入部を押えて、その間隔を収縮した状態で穴部に挿入した後、手を離すことでコイルスプリングの反発力により嵌入部の間隔が元に戻り、前記穴部内側の周縁に当たって仮置きできるようにしたものが開示されている。【０００４】  上記従来の方法では、固定金具を構成する部材である左右一対の固定部材、及び、両固定部材の締着部を締め付けるためのボルト、ナットが各単体となっていると共に、取付けの際、取付け金具に配管をあてがった状態で、各固定部材を組み付けながら取り付け、更に締付けボルト、ナットを装着するため、手間が掛かり、高所での作業では配管や部材の落下等の可能性もあり作業の安全性を確保できない。
特開２０１１−１７３８２号では、左右の本体部半部は支軸により連結され一体化しているが、取付け作業時に別体の螺子の組み付けが必要となり上記と同様に取付け手間が掛かり、螺子の落下等の可能性もある。
また、支軸に介装したコイルスプリングにより、被取付部材の穴部に固定具を仮置きできる利点はあるものの、被取付部材に固定具を先行して取り付けるために、相対する両本体部半部の間隔が被取付部材の穴部に挿入した嵌入部により規制され、配管の取付け時に不具合が生じる可能性があるなどの問題点があった。
【先行技術文献】
【特許文献】
【０００５】
【特許文献１】実開昭５４−１０７２２２号
【特許文献２】特開２００４−１４４１４１号
【特許文献３】特開２０１１−１７３８２号
【発明の概要】
【発明が解決しようとする課題】
【０００６】  この発明は上記従来の課題に鑑みなされたもので、その目的は、固定金具を構成する部材を連結して一体化すると共に、一体化した状態で手間無く、容易に長尺材を取付け金具へ取付けて固定ができる長尺材固定金具を提供することにある。
【課題を解決するための手段】
【０００７】  その手段として本発明の請求項１は、長尺材を一対の固定部材で把持する長尺材固定金具であって、各固定部材は長尺材を把持する円弧状の把持部と、その一端に延設した締着部と、他端に延設し、取付け金具の透孔に掛止する掛止部とを具備し、締付けボルトを一方の固定部材の締着部に設けたボルト挿通孔を介して、他方の固定部材の締着部に設けたネジ孔に螺着して連結すると共に、各固定部材が互いに隔離するように付勢する弾性材を前記締付けネジに備えたことを特徴とする。【０００８】  本発明の請求項２は、前記弾性材をコイルバネとし、前記締付けボルトのネジ軸に外嵌したことを特徴とする。
【発明の効果】
【０００９】  本発明の長尺材固定金具によれば、一方の固定部材の締着部にネジ孔を設け、他方の固定部材の締着部にはボルト挿通孔を設け、締付けボルトによりボルト挿通孔を介してネジ孔に螺着して連結したことで、一体化することができ、組付けの手間が無くなり作業性を向上させることができる。
各固定部材が互いに隔離するように付勢する弾性材を締付けネジに備えたことで、相対する両掛止部の間隔は長尺材の外径よりも小さくなっているので、長尺材は把持部間に遊嵌した状態になり、固定金具を長尺材に仮置きすることができる。
また、前記掛止部の間隔は、取付け金具の透孔の孔径より大きく拡開した状態となり、長尺材を把持部間で挟んだ状態にして、一方の掛止部を透孔の内側に掛けると共に、他方の掛止部を前記透孔に掛けた掛止部に向かって寄せ、両掛止部の間隔が閉じた状態にして、両掛止部を透孔に嵌挿させる。
両掛止部を透孔に嵌挿した後、両掛止部は弾性材により一定の間隔で隔離した状態になり透孔の内側周縁に掛止することができる。
すなわち、取付け金具に固定金具を仮止めができるので、片手で配管を支え、もう一方の手で締付けボルトを締めることもでき、作業性が良くなり、作業の安全性も確保することができる。【００１０】  前記弾性材をコイルバネとし、締付けボルトのネジ軸に外嵌するため、構造が簡素化でき、製造時の組み立て作業が簡単になるので、製造コストを抑制することができるなど、上記従来の課題を解消することができる。
【図面の簡単な説明】
【００１１】
【図１】本発明の実施例を示す斜視図
【図２】本発明の実施例を示す正面図
【図３】本発明の実施例の組立状態の説明図
【図４】本発明の実施例の使用状態図
【図５】本発明の実施例の使用状態図
【図６】本発明の実施例の使用状態を示す説明図
【図７】従来例を示す斜視図
【図８】本発明の他の実施例を示す正面図
【図９】本発明の他の実施例を示す正面図
【発明を実施するための形態】
【００１２】  本発明の実施例を図面により詳細に説明する。
図１は本発明の実施例を示す斜視図、図２は本発明の実施例を示す正面図、図３は本発明の実施例の組立状態の説明図である。
１０は第１固定部材であり、薄帯鋼を折り曲げて形成したものであり、１１は所望の長尺材の外径に沿って円弧状に形成して把持部である。
１２は、把持部１１の一端から延設した締着部であり、長孔状のボルト挿通孔１３を形成する。
ボルト挿通孔１３は丸孔でもよいが、締付けボルトのボルト径に対して、固定部材の長手方向に空間がある長孔にすることで、長尺材の取付けの際、両固定部材の拡開する角度が大きく取れて自由度が高くなり、作業性が良くなる利点がある。
１４は、把持部１１の他端から延設した掛止部であり、把持部１１の端部から略断面半円筒状に形成した挿通片１５と、挿通片１５の端部を外側に屈曲して形成した掛止片１６とから形成される。
掛止片１６は、挿通片１５に対して鋭角に屈曲させ、あるいは、先端を再度、挿通片１５側に屈曲して形成することで、取付け金具の透孔に引っ掛かけるようにすることもできる。
２０は第２固定部材であり、第１固定部材１０と同様に薄帯鋼を折り曲げて形成したものであり、２１は第１固定部材１０の把持部１１と同径の円弧状に形成した把持部である。
２２は、把持部２１の一端から延設した締着部であり、ネジ孔２３を形成する。
２４は、把持部２１の他端から延設した掛止部であり、把持部２１の端部から略断面半円筒状に形成した挿通片２５と、挿通片２５の端部を外側に屈曲して形成した掛止片２６とから形成される。
【００１３】  ３０は締付けボルトであり、ボルト挿通孔１３を介して、ネジ孔２３に螺着して、第１固定部材１０と第２固定部材２０を連結する。
ネジ孔２３に代えて透孔とナットの組み合わせとし、透孔を挿通する締付けボルトをナットに螺着することは容易に推考することができる。
４０は圧縮コイルバネであり、締付けボルト３０のネジ軸３１に外嵌させ、第１固定部材１０と第２固定部材２０の締着部１２，２２間に介装する。
圧縮コイルバネ４０に代えて、Ｕ字型の板バネや発泡樹脂や発泡ゴム等を使用するなどは容易に推考することができる。（図８、図９参照）
圧縮コイルバネ４０の反力により、第１固定部材１０と第２固定部材２０が互いに隔離するように付勢される。
【００１４】  次に本発明の実施例の使用方法を説明する。
図４、及び図５は本発明の実施例の使用状態図、図６は、本発明の実施例の使用状態を示す説明図である。
本発明の長尺材固定金具の第１固定部材１０と第２固定部材２０の両把持部１１、２１の間に配管Ａを遊嵌した状態で取り付ける。
第１固定部材と第２固定部材が互いに隔離するように付勢する圧縮コイルバネ４０により、相対する両掛止部１６、２６の間隔は配管Ａの外径よりも小さくなっているので、配管Ａに仮置きすることができる。
次に、型鋼Ｂの適宜位置に取付けた取付け金具Ｃの丸孔Ｄに、配管Ａに仮置きした固定金具の第２固定部材２０の掛止部２４先端の掛止片２６を丸孔Ｄに掛けると共に、第１固定部材１０の掛止片１６を第２固定部材２０の掛止片２６に向かって押し、両掛止片１６、２６が閉じるように間隔を縮小させて、丸孔Ｄに嵌挿する。
両掛止片１６、２６を丸孔Ｄに嵌挿した後、圧縮コイルバネ４０の反力により、掛止片１６は再度拡開され、丸孔Ｄの内側周縁に掛止する。
すなわち、配管Ｄを遊嵌した状態で長尺材固定金具が取付け金具Ｂに仮止めした状態となるので、片手で配管を支え、もう一方の手で締付けボルトを締付けて固定する。
【符号の説明】
【００１５】１０        第１固定部材
２０        第２固定部材
１１  ２１  把持部
１２  ２２  締着部
１３        ボルト挿通孔
２３        ネジ孔
１４  ２４  掛止部
１５  ２５  挿通片
１６  ２６  掛止片
３０        締付けボルト
３１        ネジ軸
４０        圧縮コイルバネ
Ａ          配管
Ｂ          型鋼
Ｃ          取付け金具
Ｄ          丸孔
【図１】
2014190539.tif 000003
【図２】
2014190539.tif 000004
【図３】
2014190539.tif 000005
【図４】
2014190539.tif 000006
【図５】
2014190539.tif 000007
【図６】
2014190539.tif 000008
【図７】
2014190539.tif 000009
【図８】
2014190539.tif 000010
【図９】
2014190539.tif 000011